(57)【特許請求の範囲】
【請求項１】
建物と該建物に隣接する隣接構造物との間に設置され、前記建物の作業を行うために用いる仮設足場であって、
間隔を置いて配置された一対の支柱と、一対の該支柱にそれぞれ両端側が連結される梁枠体と、該梁枠体上に固定される足場板と、を備え、
該足場板は、前記梁枠体側に向かって突出する一対の突出部を有し、
前記梁枠体には、該梁枠体に交差する交差方向に延在して前記足場板を保持する足場板ホルダーが形成されており、
該足場板ホルダーは、前記足場板が前記足場板ホルダー上に載せられたときに、一対の前記突出部の間に係止される一対の係止突出部を有し、
一対の前記突出部間の距離は、一対の前記係止突出部間の距離と同等となるように構成されていて、
前記足場板は、本体と該本体に覆設される蓋体とによって構成されており、
該蓋体は、矩形平板状の天板部と、該天板部の相対向する辺から同方向に各々垂下する一対の延出部とにより構成されるとともに、
前記本体は、前記天板部と対向して配置される天板対向部と、該天板対向部の相対向する両端辺から同方向に垂下する一対の垂下部と、を備えて構成されており、
前記天板部と前記天板対向部の少なくとも一部との間には間隙形成されるとともに、前記延出部の内壁面と前記垂下部の外側面とが圧接する状態で、前記本体が前記蓋体に嵌合しており、
一対の前記突出部は、一対の前記垂下部の内壁面から各々突出するものであるとともに、双方が対面するように突出していることを特徴とする仮設足場。
【請求項２】
前記本体及び前記蓋体は、長尺状の部材であり、
前記天板対向部は、前記天板部と所定の間隙をもって対面する矩形状の底部と、該底部の長手方向に延びる相対向する辺から、前記延出部と平行に起立する一対の側部と、一対の該側部の上端辺から前記底部と離隔する方向に向かって前記底部と平行に延びる縁部と、を有して構成され、
前記垂下部は、前記縁部の長手方向の辺のうち、前記底部と離隔する側の辺から前記延出部と平行に垂下しており、
前記垂下部と、前記縁部と、前記側部とで形成される空間である係止空間が一対形成されるものであり、
一対の前記係止空間に一対の前記係止突出部が挿入されて係止されていることを特徴とする請求項１に記載の仮設足場。
【請求項３】
前記延出部と前記垂下部とは、リベットにより固定されるものであり、
前記突出部は、前記リベットの脚部であることを特徴とする請求項１又は請求項２に記載の仮設足場。
【請求項４】
前記足場板ホルダーは、前記梁枠体を基準として前記建物側に偏って前記梁枠体に固定されていることを特徴とする請求項１乃至３のいずれか一項に記載の仮設足場。
【請求項５】
前記足場板の上面には、滑り止め孔が形成されており、
前記足場板の上面において、前記滑り止め孔の縁は、周囲よりも上方に盛り上がるように形成されていることを特徴とする請求項１乃至４のいずれか一項に記載の仮設足場。
【請求項６】
前記梁枠体と前記足場板との間に、弾性を有する紐が掛けられていることを特徴とする請求項１乃至５のいずれか一項に記載の仮設足場。
【発明の詳細な説明】
【技術分野】
【０００１】
本発明は、仮設足場に係り、特に構造物と接近して建てられた建物の建築やメンテナンスの作業を室外側から行う際に用いられる仮設足場に関する。
【背景技術】
【０００２】
住宅等の建物の建築時や建築後のメンテナンス時において、室外側から施工作業をおこなうために建築足場が仮設される。
このような建築足場は、一般に、所定の間隔で立設された単管支柱と梁部材とを縦横に組み合わせ、梁部材に踏み板を仮設して構築している。
例えば、特許文献１に開示された狭小地用の仮設足場においては、支柱と、梁枠体及び足場板からなる梁部材とによって仮設足場を構成し、梁枠体として、長手方向に複数に分割された分割梁枠が相互に連結されてなるものを採用している。このような構成により、梁枠体を分割梁枠毎に、仮設足場の設置場所に持ち込むことができ、仮設足場の設置場所に持ち込む個々の部材の長さを短くすることができる。そして、建物と隣接する構造物（建物、単なる壁を含み、以下隣接構造物ともいう。）とが接近しており、仮設足場を設置するスペースが狭い場合であっても、仮設足場の設置が可能となった。
【先行技術文献】
【特許文献】
【０００３】
【特許文献１】特開２０１４−１０１６５９号公報
【発明の概要】
【発明が解決しようとする課題】
【０００４】
特許文献１に開示された仮設足場においては、足場板は、幅方向において、足場板ホルダーの一対の壁部に囲まれてその位置を規制されているが、足場板の幅方向外側の面間寸法と一対の壁部間の内面間の寸法とが一致していない場合にはぐらつきが生じるため、足場板の保持性が低かった。この場合、足場が安定しないために作業効率が低くなっていた。
また、狭小地に仮設足場を設けた場合に、支柱や上段にある梁枠体によって、これらと建物との間の空間が狭まることで、建物への作業スペースの確保が困難になり作業効率が低くなることがあった。
【０００５】
本発明は、上記の課題に鑑みてなされたものであり、本発明の目的は、隣接する構造物と接近して建築された建物の作業を室外側から行う際の足場の安定性の高い狭小地用の仮設足場を提供することにある。本発明の他の目的は、作業効率を高めることが可能な狭小地用の仮設足場を提供することにある。
【課題を解決するための手段】
【０００６】
前記課題は、本発明の仮設足場によれば、建物と該建物に隣接する隣接構造物との間に設置され、前記建物の作業を行うために用いる仮設足場であって、間隔を置いて配置された一対の支柱と、一対の該支柱にそれぞれ両端側が連結される梁枠体と、該梁枠体上に固定される足場板と、を備え、該足場板は、前記梁枠体側に向かって突出する一対の突出部を有し、前記梁枠体には、該梁枠体に交差する交差方向に延在して前記足場板を保持する足場板ホルダーが形成されており、該足場板ホルダーは、前記足場板が前記足場板ホルダー上に載せられたときに、一対の前記突出部に係止される一対の係止突出部を有し、一対の前記突出部間の距離は、一対の前記係止突出部間の距離と同等となるように構成されていて、前記足場板は、本体と該本体に覆設される蓋体とによって構成されており、該蓋体は、矩形平板状の天板部と、該天板部の相対向する辺から同方向に各々垂下する一対の延出部とにより構成されるとともに、前記本体は、前記天板部と対向して配置される天板対向部(底部＋側部＋縁部)と、該天板対向部の相対向する両端辺から同方向に垂下する一対の垂下部と、を備えて構成されており、前記天板部と前記天板対向部の少なくとも一部との間には間隙形成されるとともに、前記延出部の内壁面と前記垂下部の外側面とが圧接する状態で、前記本体が前記蓋体に嵌合しており、一対の前記突出部は、一対の前記垂下部の内壁面から各々突出するものであるとともに、双方が対面するように突出していることにより解決される。
【０００７】
上記構成によれば、足場板が有する一対の突出部と、足場板ホルダーが有する一対の係止突出部とを係止することができる。
当該構成により、足場板を足場板ホルダーの壁部が囲むようにして保持する従来の構成と比して、足場板ホルダーに対する足場板のズレを効果的に抑制することができ、よって、作業員の足場を安定させることができる。
また、上記構成によれば、本体が蓋体に嵌まり込むため、組付けが容易となる。
また、天板部と、天板対向部の少なくとも一部と、の間に間隙が形成されているため、上下方向の撓みに対して強度が向上する。
更に、延出部の内壁面と垂下部の外側面とが圧接する構成であるため、当該部分を固定すると（締結部材による締結や溶接等）、簡易に本体と蓋体とを固定することができ、足場板の製造が容易となる。
また、一対の突出部は、一対の垂下部の内壁面から各々突出しているため、垂下部の内壁面間の距離よりも突出部間の距離の方が小さくなる。
よって、製作誤差により、一対の突出部間の距離が、一対の係止突出部間の距離よりも若干大きくなったとしても、突出部間の距離は、一対の垂下部の内壁面間の距離よりも小さくなっているため、突出部が存在しない場合と比較して、足場板のガタつき代は小さくなる。
【０００９】
また、具体的には、前記本体及び前記蓋体は、長尺状の部材であり、前記天板対向部は、前記天板部と所定の間隙をもって対面する矩形状の底部と、該底部の長手方向に延びる相対向する辺から、前記延出部と平行に起立する一対の側部と、一対の該側部の上端辺から前記底部と離隔する方向に向かって前記底部と平行に延びる縁部と、を有して構成され、前記垂下部は、前記縁部の長手方向の辺のうち、前記底部と離隔する側の辺から前記延出部と平行に垂下しており、前記垂下部と、前記縁部と、前記側部とで形成される空間である係止空間が一対形成されるものであり、一対の前記係止空間に一対の前記係止突出部が挿入されて係止されていると好ましい。
上記構成によれば、足場板ホルダーの係止突出部を係止空間に格納しながら、この係止空間内にて、係止突出部を突出部に係止することができる。
このため、この係止空間が、足場板ホルダーに足場板を覆設する際のガイドとなり、足場板の設置が容易となる。
また、当該係止空間内に突出部が突出する構成となるため、案内された係止突出部が自動的に突出部により係止されることとなる。よって、突出部に係止突出部が簡易かつ確実に係止される。
以上のように、当該構成によれば、足場板の設置が簡易となる。
なお、「係止突出部を突出部に係止」とは、係止突出部が突出部に当接（圧接を含む）している状態や、突出部と何等かの構成（例えば、側部）とで係止突出部を挟持している状態等を広く含むものとする。
つまり、突出部の存在により、係止突出部の移動（ガタつき）が阻止される構成、換言すれば、突出部の存在により、係止空間における係止突出部の位置が決められる構成であれば全て含まれるものとする。
【００１０】
また、更に、好ましくは、前記延出部と前記垂下部とは、リベットにより固定されるものであり、前記突出部は、前記リベットの脚部であるとよい。
このように構成されていると、リベットにて本体と蓋体とを締結することができるとともに、締結に使用したリベットの脚部を突出部として利用して、係止突出部を係止することができる。
よって、足場板の製造コストを低減することができる。
なお、リベットは、所謂、ブラインドリベットが使用されていると、簡易に当該構成を実現することができる。
また、リベットは、簡易に取り替えることができるため、リベット劣化に伴うメンテナンスを簡易に行うことができる。
【００１１】
更に、前記足場板ホルダーは、前記梁枠体を基準として前記建物側に偏って前記梁枠体に固定されていると好ましい。
上記構成によれば、足場板ホルダーが梁枠体を基準として建物側に偏って梁枠体に固定されており、逆に、梁枠体は建物から離間することになるため、梁枠体に柱が同一鉛直平面上に取り付けられている場合に、柱が建物から離間することになる。このため、柱及び梁枠体が建物への作業を阻害することを回避することができる。
【００１２】
また、前記足場板の上面には、滑り止め孔が形成されており、前記足場板の上面において、前記滑り止め孔の縁は、その周囲よりも上方に盛り上がるように形成されていると好ましい。
上記構成によれば、滑り止め孔の縁が上方に盛り上がるように形成されていることで、
足場板上に乗る作業者の足が掛かるため、足場板上での足の踏ん張りがきくこととなり作業性を高めることができる。
【００１３】
更には、前記梁枠体と前記足場板との間に、弾性を有する紐が掛けられていると好ましい。
上記構成によれば、弾性を有する紐が掛けられていることにより、梁枠体と足場板との間でズレが生じることを防止できる。
【発明の効果】
【００１４】
本発明によれば、足場板の足場板ホルダーに対するズレを抑制することができ、建物への作業の効率性を高めることができる。また、突出部が係止突出部に接触しやすくなり、簡易かつ確実に足場板を足場板ホルダーへと係止することができる。
また、リベットを締結具として使用することにより、締結後に突出した脚部を突出部として利用することができる。
よって、特別な構成を用いることなく、突出部を形成することができるため、足場板の作成コストを低減することができるとともに、作成が容易となる。
更に、リベットは、取り替えが容易であるため、劣化した際には簡易に取り替えることができ、よって、メンテナンス性もまた向上する。
【図面の簡単な説明】
【００１５】
【図１】（ａ）は本発明の一実施形態に係る梁枠体を示す平面図、（ｂ）は梁枠体の側面図である。
【図２】梁枠体の一部を構成する端部梁枠の側面図である。
【図３】梁枠体を構成する中央梁枠と端部梁枠との連結状態を示し、足場板を載せる状態を示す斜視説明図である。
【図４】（ａ）は足場板の分解図、（ｂ）は組立状態縦断面図である。
【図５】端部梁枠を示す斜視図である。
【図６】図３のＡ−Ａ線断面図である。
【図７】足場板のサイズ構成を示す説明図である。
【図８】足場板ホルダーと足場板との間にゴム紐を架け渡した状態を示す斜視図である。
【図９】改変例を示す説明図である。
【発明を実施するための形態】
【００１６】
以下、本発明の一実施形態に係る仮設足場について、図１〜図８を参照しながら説明する。
図１（ａ）は本発明の一実施形態に係る梁枠体を示す平面図、図１（ｂ）は梁枠体の側面図、図２は梁枠体の一部を構成する端部梁枠の側面図、図３は梁枠体を構成する中央梁枠と端部梁枠との連結状態を示し、足場板を載せる状態を示す斜視説明図、図４（ａ）は足場板の分解図、図４（ｂ）は組立状態縦断面図、図５は端部梁枠を示す斜視図、図６は図５のＡ−Ａ線断面図、図７は足場板のサイズ構成を示す説明図、図８は足場板ホルダーと足場板との間にゴム紐を架け渡した状態を示す斜視図である。
【００１７】
＜仮設足場の全体構成について＞
まず、本実施形態に係る仮設足場１の全体構成について説明する。
本実施形態に係る仮設足場１は、隣接構造物との距離が例えば３０〜５０ｃｍ程度しかないような狭小地に、隣接構造物と接近して建築される建物において、建築作業やメンテナンス作業を室外側から行うときに用いられる狭小地用の仮設足場１である。
本実施形態の仮設足場１は、図１（ｂ）に示す一対の支柱２と、一対の支柱２に両端が連結される梁枠体３と、梁枠体３上に固定される図３に示す足場板６と、を備えている。
支柱２は、図１（ｂ）に示すように、鋼製の丸パイプ状体からなり、作業対象の建物と隣接構造物との隙間の地面の２カ所に固定される。支柱２には、梁枠体３の端部に形成された係止片４５が係止される略筒状の係止ホルダー２１が、支柱２の長さ方向に所定間隔を置いて複数設けられている。
係止ホルダー２１は、支柱２の水平方向の断面の周に沿って、９０°ずつずらして４つずつ設けられており、支柱２のほぼ同じ高さに、相互に垂直になるように、４つの梁枠体３を連結可能に構成されている。
【００１８】
本実施形態では、梁枠体３は、長さ方向に３つに分割されており、一対の端部梁枠４と、一対の端部梁枠４に挟まれる中央梁枠５と、を備えている。
端部梁枠４は、図２に示すように、端部梁枠体４１を主要構成要素としている。
端部梁枠体４１は、鋼製の丸パイプ状の上梁材４２と、上梁材４２の下方で上梁材４２に平行に延びる鋼製の丸パイプ状の下梁材４３と、上梁材４２と下梁材４３とを架橋して連結する架橋部材４４とが、溶接により一体に形成されてなる。
上梁材４２及び下梁材４３の長手方向の一端には、端部梁枠４を中央梁枠５に連結するための板体４６が一体に溶接固定されている。板体４６は、上梁材４２及び下梁材４３に対して垂直な略矩形の板体である。板体４６には、矩形の４つの頂点よりも中央よりの４か所に、不図示のボルト孔が穿孔されている。この不図示のボルト孔に挿入されたボルト４６ａとナット４６ｂにより、後述する板体５６（中央梁枠５を構成している）に固定される。
上梁材４２の他端には、端部梁枠４を支柱２に連結するための係止片４５が、上梁材４２に一体に設けられている。係止片４５は、端部が下方を向いており、係止片４５の端部側を支柱２の係止ホルダー２１に挿入することにより、係止片４５を係止ホルダー２１に係止する。
【００１９】
上梁材４２の上部であって、係止片４５の近傍の位置、係止片４５よりも長手方向中央寄りの位置と、板体４６よりも長手方向中央寄りの位置の３カ所には、図２に示すように、足場板６を固定するための足場板ホルダー３６が溶接により固定されている。
【００２０】
特に、足場板ホルダー３６は、図５及び図６に示すように、水平面上における上梁材４２の連続する方向に対して直交する方向の一方に偏って上梁材４２に固定されている。足場板ホルダー３６が、このように固定されているのは、梁枠体３及び梁枠体３の延長上にある支柱２を、施工対象である建物から離して作業空間を確保することにより、作業性を高めるためである。
【００２１】
＜足場板ホルダーの構成＞
足場板ホルダー３６は、図５に示すように、コの字状部材３６ｃと、支持板部３６ｄと、により構成されている。
このコの字状部材３６ｃは、矩形平板の平板部３６ａと、この平板部３６ａの両端を屈曲して係止した一対の壁部３６ｂと、を有して構成されている。
そして、支持板部３６ｄは、略矩形平板であり、コの字状部材３６ｃを構成する平板部３６ａと一対の壁部３６ｂとに囲まれた領域に溶接固定される。
一対の壁部３６ｂは、本発明に係る一対の「係止突出部」に相当し、平板部３６ａから立設されている。換言すると、壁部３６ｂは、下方から足場板６が載置される上方にかけて起立するように形成されている。
足場板ホルダー３６は、足場板６が載せられる支持板部３６ｄの上面が水平となるように、上梁材４２に溶接されている。
【００２２】
中央梁枠５は、図３に示すように、中央梁枠体５１を主要構成要素としている。
中央梁枠体５１は、鋼製の丸パイプ状の上梁材５２と、上梁材５２の下方で上梁材５２に平行に延びる鋼製の丸パイプ状の下梁材５３と、上梁材５２と下梁材５３とを架橋して連結する架橋部材５４とが、溶接により一体に形成されてなる。
上梁材５２及び下梁材５３の長手方向の両端には、中央梁枠５を端部梁枠４に連結するための板体５６が一体に溶接固定されている。板体５６は、上梁材５２及び下梁材５３に対して垂直な略矩形の板体である。板体５６は、板体４６と同様の構成であるため、説明を省略する。
【００２３】
上梁材５２の上部であって、板体５６よりも長手方向中央寄りの位置の３カ所には、図３に示すように、足場板６を固定するための足場板ホルダー３６が溶接により固定されている。
足場板ホルダー３６は、上梁材５２の連続する方向に垂直な向きに溶接されており、足場板６が載せられる支持板部３６ｄの上面が水平となるように、上梁材５２に溶接されている。
梁枠体３は、中央梁枠５の両端に一対の端部梁枠４が固定されることにより構成される。中央梁枠５と一対の端部梁枠４との間の固定は、板体４６と板体５６とが、ボルト４６ａとナット４６ｂにより締結されることで行われる。
【００２４】
＜足場板の詳細な構成について＞
次いで、本実施形態の主要構成である足場板６の構成について詳細に説明する。
本実施形態の足場板６は、長手方向の長さが、端部梁枠４及び中央梁枠５の長手方向の長さに近い長さに設定される長尺状の部材であり、端部梁枠４及び中央梁枠５それぞれの上方に一つずつ設置されている。
本実施形態に係る足場板６は、図４に示すように、本体６１と、開放側を下方に向けた断面コの字状に形成されて、本体６１を覆う蓋体６２と、を有して構成されている。
後述するが、これら本体６１と蓋体６２とは、リベットＲ１により一体化され、略矩形筒状の足場板６が形成される。このように筒状とし、本体６１と蓋体６２との間を中空とすることにより、軽量化を図ることができる。
【００２５】
＜足場板を構成する本体について＞
本実施形態に係る本体６１は、アルミニウム等の板材をプレス加工等により屈曲させて形成した長尺状の部材であり、長板状の底部６１ａと、底部６１ａの幅方向両端から上方に延在する一対の側部６１ｂと、一対の側部６１ｂの上端から幅方向外側に張り出す一対の縁部６１ｃと、一対の縁部６１ｃの幅方向端部から下方へと垂下する垂下部６１ｄと、から構成されている。
本実施形態においては、垂下部６１ｄは、側部６１ｂと略平行となるように垂下している。
また、側部６１ｂ、垂下部６１ｄ、縁部６１ｃとで囲まれた空間を、以下「ホルダー係止空間Ｋ１」と記す。本実施形態においては、当該ホルダー係止空間は、２個形成されている。
なお、底部６１ａ、一対の側部６１ｂ、一対の縁部６１ｃを併せた構成が、特許請求の範囲の「天板対向部」に相当する。
【００２６】
また、垂下部６１ｄの下方端部側には、本体側リベット貫通孔Ｒ２が形成されている。
本実施形態においては、本体側リベット貫通孔Ｒ２は、垂下部６１ｄに３個形成されている。より詳細には、本体側リベット貫通孔Ｒ２は、垂下部６１ｄの長手方向両端部付近、及び長手方向中央部に各々形成されている。
この本体側リベット貫通孔Ｒ２の形成位置や個数は、梁枠体３に取付けられる複数の足場板ホルダー３６の位置に対応するように決定される。
つまり、隣接する本体側リベット貫通孔Ｒ２，Ｒ２間の距離は、隣接する足場板ホルダー３６，３６間の距離とほぼ同じとなるように構成される。
換言すれば、足場板６は、本体側リベット貫通孔Ｒ２の位置において、足場板ホルダー３６に固定されることとなる。
なお、蓋体側リベット貫通孔Ｒ３の形成個数や形成位置等は、本実施形態に係る構成に限定されることはなく、足場板６のサイズや材質等の状況に応じて適宜設計変更することができるものである。
【００２７】
底部６１ａは、足場板ホルダー３６を構成する支持板部３６ｄの上面に載せられる部位であり、幅方向において、足場板ホルダー３６の一対の壁部３６ｂ間の長さよりも僅かに短い長さで形成されている。詳しくは、底部６１ａの幅方向長さは、壁部３６ｂ間（支持板部３６ｄ上端部が配設される位置における壁部３６ｂ間）に嵌まり込む程度の長さであれば好適である。
【００２８】
また、ホルダー係止空間Ｋ１，Ｋ１には、足場板ホルダー３６を構成する壁部３６ｂ，３６ｂが挿入されて係止されることとなるが、この構成は後に詳述する。
このように、ホルダー係止空間Ｋ１，Ｋ１に壁部３６ｂ，３６ｂが挿入されて係止されることで、足場板６が幅方向に移動することを制限することができる。
【００２９】
＜足場板を構成する蓋体について＞
本実施形態に係る蓋体６２は、アルミニウム等の板材をプレス加工等により屈曲させて形成した長尺状の部材であり、作業者の足場となる天板部６２ａと、天板部６２ａの幅方向両端から下方に延出する延出部６２ｂと、から構成された縦断面略コ字形状の部材である。
この蓋体６２の長手方向の長さは、本体６１の長手方向の長さとほぼ同一となるように構成されている。
なお、本実施形態においては、延出部６２ｂ，６２ｂは、天板部６２ａに対して略垂直に延出している。
また、延出部６２ｂの下方端部側には、蓋体側リベット貫通孔Ｒ３が形成されている。
本実施形態においては、蓋体側リベット貫通孔Ｒ３は、延出部６２ｂに３個形成されている。より詳細には、蓋体側リベット貫通孔Ｒ３は、延出部６２ｂの長手方向両端部付近、及び長手方向中央部に各々形成されている。
【００３０】
この蓋体側リベット貫通孔Ｒ３の形成位置や個数は、梁枠体３に取付けられる複数の足場板ホルダー３６の位置に対応するように決定される。
つまり、隣接する蓋体側リベット貫通孔Ｒ３，Ｒ３間の距離は、隣接する足場板ホルダー３６，３６間の距離とほぼ同じとなるように構成される。
換言すれば、足場板６は、蓋体側リベット貫通孔Ｒ３の位置において、足場板ホルダー３６に固定されることとなる。
なお、このように構成された蓋体側リベット貫通孔Ｒ３の位置は、本体６１と蓋体６２とを組合わせた際、本体側リベット貫通孔Ｒ２の位置と整合することとなり、両者により連通孔が形成される。つまり、足場板６は、この連通孔の位置において、足場板ホルダー３６に係止されることとなる。
なお、本体側リベット貫通孔Ｒ２の形成個数や形成位置等は、本実施形態に係る構成に限定されることはなく、足場板６のサイズや材質等の状況に応じて適宜設計変更することができるものである。
【００３１】
＜本体と蓋体との組付けについて＞
上記のように、蓋体６２の長手方向の距離は、本体６１の長手方向の距離とほぼ同一となるように構成されている。
まず、蓋体６２を構成する天板部６２ａは、本体６１を構成する底部６１ａに平行となるように、本体６１の上方から覆設される。
そして、本体６１は蓋体６２に嵌合されるようサイズ構成されているため、垂下部６１ｄ，６１ｄの外側面と延出部６２ｂ，６２ｂの内側面が圧接した状態で、本体６１が蓋体６２に嵌まり込む。
このように本体６１と蓋体６２とが組合わされた状態においては、上記の通り、本体側リベット貫通孔Ｒ２と蓋体側リベット貫通孔Ｒ３とは、連通するように構成されている。
そして、この本体側リベット貫通孔Ｒ２と蓋体側リベット貫通孔Ｒ３との連通孔に、外側からリベットＲ１を挿入して締結することにより、蓋体６２が本体６１に固定される。
このようにして、本体６１に蓋体６２が取付けられて、足場板６が完成する。
本実施形態においては、リベットＲ１として、所謂ブラインドリベットが使用されている。
【００３２】
このとき、垂下部６１ｄの内側面において、本体側リベット貫通孔Ｒ２が配置されている部分には、リベット脚部Ｒ１１が内側に向けて突出することとなる。
つまり、外側からブラインドリベットであるリベットＲ１を圧入すると、リベットフランジ部Ｒ１２が延出部６２ｂ側に配置されるとともに、リベット脚部Ｒ１１は本体側リベット貫通孔Ｒ２の内側部分に突出する。この状態で、マンドレルＲ１３を引くと、リベット脚部Ｒ１１は押しつぶされて、本体側リベット貫通孔Ｒ２の内側部分に突出した状態で、本体側リベット貫通孔Ｒ２に引っ掛る。このようにして、本体６１と蓋体６２とを固定するため、固定後においては、垂下部６１ｄの内側面において、本体側リベット貫通孔Ｒ２が配置されている部分には、リベット脚部Ｒ１１が内側に向けて突出している。
なお、リベットＲ１のリベット脚部Ｒ１１のうち、垂下部６１ｄの内側に突出している先端部分を、「リベット先端部Ｒ１１１」と記す。
また、リベット先端部Ｒ１１１（リベット脚部Ｒ１１）が、特許請求の範囲の「突出部」に相当する。
このように、本実施形態においては、リベットＲ１により、本体６１に蓋体６２を固定することとした。このため、溶接にて両者を固定するよりも、作業が容易となるとともに、コストもまた低減することができる。
【００３３】
＜足場板ホルダーに対する足場板の取付けについて＞
まず、図７により、足場板６と、足場板ホルダー３６と、の各サイズの関係性について説明する。
ホルダー係止空間Ｋ１において、リベット脚部Ｒ１１の端部と側部６１ｂとの距離ｔ１は、壁部３６ｂの厚さｔ２とほぼ同一若しくは僅かに大きくなるように構成されている。
また、ホルダー係止空間Ｋ１の高さｔ３は、壁部３６ｂにおいて、支持板部３６ｄよりも上方に突出している部分の高さｔ４よりも大きくなるように構成されている。
そして、リベット先端部Ｒ１１１，Ｒ１１１間の距離ｔ５は、壁部３６ｂ，３６ｂ間の距離（外側面間の距離ｔ６）と同程度若しくは僅かに小さくなるように構成されている。
【００３４】
上記のようにサイズ形成された足場板６は、ホルダー係止空間Ｋ１，Ｋ１内に、壁部３６ｂ，３６ｂの上端部を圧入することにより、足場板ホルダー３６に取付けられる。
このとき、リベット先端部Ｒ１１１，Ｒ１１１間に壁部３６ｂ，３６ｂが嵌まり込むこととなる。
換言すれば、リベット先端部Ｒ１１１，Ｒ１１１に、壁部３６ｂ，３６ｂが圧接若しくは当接する。このように構成されているため、リベット先端部Ｒ１１１，Ｒ１１１により、足場板ホルダー３６の壁部３６ｂ，３６ｂが係止（位置決め）される。よって、足場板６のガタつきが有効に防止されることとなる。
つまり、一方のリベット先端部Ｒ１１１に係止されている一方の壁部３６ｂは、リベット先端部Ｒ１１１の方向には、このリベット先端部Ｒ１１１が存在しているため動けない。また、反対方向に対しては、他方の壁部３６ｂが他方のリベット先端部Ｒ１１１に係止されているため動けないか、動けたとしても、製造誤差範囲の僅かな距離である。
このように、足場板６は、足場板ホルダー３６に対して動くことが規制され、よってガタつきの発生が効果的に抑制されることとなる。また、壁部３６ｂ，３６ｂの上端側をホルダー係止空間Ｋ１，Ｋ１に挿入したときに、底部６１ａが支持板部３６ｄの上端にて支持されるため、更に、足場板６の安定感が向上する。
【００３５】
以上のように、本実施形態によれば、従来のようにホルダー係止空間Ｋ１に壁部３６ｂを挿入するよりも、リベット脚部Ｒ１１の端部であるリベット先端部Ｒ１１１で壁部３６ｂを係止することができるため、足場板６は当該位置にて位置決めされる。このため、足場板６のガタつきが有効に抑制される。このため、足場板６上方で作業を行う作業者の作業効率が向上することとなる。
更に、リベットＲ１は、取り替えが容易であるため、劣化した場合には、簡易に取り替えることができメンテナンス性も良好である。
【００３６】
なお、リベット先端部Ｒ１１１と側部６１ｂとの間に、壁部３６ｂが挟持されるようにサイズ構成されていてもよい。このように構成されていると、足場板６を更に強固に係止することができる。
また、逆に、側部６１ｂ、６１ｂの外側面間の距離ｔ７（底部６１ａの幅でもある）が、壁部３６ｂ，３６ｂの内壁面間の距離ｔ８よりも小さくなるように構成されていてもよい。
このように構成されていると、ホルダー係止空間Ｋ１の幅（つまり、垂下部６１ｄの内壁面と側部６１ｂとの間の距離）が大きくなるため、壁部３６ｂに挿入されやすくなる。
通常作業員は、上方より、足場板ホルダー３６に対して足場板６を覆設することとなる。よって、蓋体６２により覆われた下方での係止作業は、視認し難いものとなる。
しかしながら、ホルダー係止空間Ｋ１の幅（つまり、垂下部６１ｄの内壁面と側部６１ｂとの間の距離）を大きくすれば、ホルダー係止空間Ｋ１への壁部３６ｂの挿入が容易となり作業性が向上する。
このように構成されていても、壁部３６ｂ，３６ｂは、リベット先端部Ｒ１１１，Ｒ１１１間に係止されているため、足場板６がガタつくことは有効に防止される。
【００３７】
つまり、リベット先端部Ｒ１１１，Ｒ１１１の存在により、垂下部６１ｄ，６１ｄ間の距離（内壁間の距離）を小さくして壁部３６ｂの移動（ガタつき）が阻止される構成、換言すれば、リベット先端部Ｒ１１１，Ｒ１１１の存在により、ホルダー係止空間Ｋ１における壁部３６ｂの位置が決められる構成であれば、どのような構成でも採用することができるものである。
【００３８】
＜足場板の固定補強について＞
足場板６と足場板ホルダー３６との間のぐらつきを低減させる構成としては、図８に示すように、ゴム紐７１を用いるようにしてもよい。
具体的には、足場板６の長手方向端部近傍における幅方向両側の延出部６２ｂに、一対の掛止孔６２ｇが形成されている。この一対の掛止孔６２ｇにＳ字フック５７をかけ、下梁材４３，５３に跨るように取り付けられたゴム紐７１の両端をＳ字フック５７に取り付ける。ゴム紐７１の長さを調節してゴム紐７１に弾性力が生じる状態にすればよい。
このようにすれば、ゴム紐７１の弾性力を、足場板６と下梁材４３，５３との間に常に生じさせるようにでき、両者間のぐらつきを低減させることができる。
【００３９】
上記の実施形態は、本発明の理解を容易にするためのものであり、本発明を限定するものではない。本発明は、その趣旨を逸脱することなく、変更、改良され得るとともに、本発明には各実施形態の特徴を組み合わせたもの、その等価物が含まれることは勿論である。
【００４０】
なお、本実施形態では、図１，図３のように、仮設足場１に、梁枠体３及び足場板６を一組のみ設置した例を示したが、各支柱２の複数の係止ホルダー２１に梁枠体３を係止することにより、複数組の梁枠体３及び足場板６を上下に設置してもよい。例えば、建物の異なる階層に対応する係止ホルダー２１に梁枠体３をそれぞれ設置することにより、各階での作業を円滑に行うことができる。
【００４１】
＜改変例について＞
次いで、図９により、上記実施形態の改変例について説明する。
図９（ａ）は第一改変例に係る第二足場板１０６を示すものである。
この第二足場板１０６は、略矩形平板の第二天板部１６２ａと、この第二天板部１６２ａにおいて長手方向に延びる相対向する２辺から同方向に垂下する第二延出部１６２ｂ，１６２ｂと、から構成された縦断面略コ字形状の長尺状部材である。
そして、第二延出部１６２ｂの内側面において、自由端辺（下端辺）付近には、内側に向けて突起部Ｒ２１１が突設されている。
この突起部Ｒ２１１の形状としては、長尺状の四角柱形状や長尺状のドーム形状（かまぼこ状）の突起物が長手方向全長に亘り突設されていてもよいし、長手方向に複数個並列するよう構成されていてもよい。
また、円筒形状、角柱形状、半球形状の突起部Ｒ２１１が少なくとも１個突設されるような構成であってもよい。
この第二足場板１０６は、向かい合うように配置される突起部Ｒ２１１，Ｒ２１１によって、足場板ホルダー３６の壁部３６ｂ，３６ｂを把持することにより、足場板ホルダー３６に取付けられる。
なお、この突起部Ｒ２１１が、特許請求の範囲の「突出部」に相当する。
【００４２】
図９（ｂ）は、第二改変例に係る第三足場板２０６を示すものである。
この第三足場板２０６は、略矩形平板の第三天板部２６２ａと、この第三天板部２６２ａにおいて長手方向に延びる相対向する２辺から同方向に垂下する第三延出部２６２ｂ，２６２ｂと、から構成された縦断面略コ字形状の長尺状部材である。
この第三足場板２０６は、足場板ホルダー３６の壁部３６ｂ，３６ｂの上端部に、第三天板部２６２ａと第三延出部２６２ｂ，２６２ｂとの内隅部分が載置されることにより、足場板ホルダー３６に取付けられる。
【符号の説明】
【００４３】
１  仮設足場
２  支柱
３  梁枠体
４  端部梁枠
５  中央梁枠
６  足場板
２１  係止ホルダー
３６  足場板ホルダー
３６ａ  平板部
３６ｂ  壁部（係止突出部）
３６ｃ  コの字状部材
３６ｄ  支持板部
４１  端部梁枠体
４２，５２  上梁材
４３，５３  下梁材
４４，５４  架橋部材
４５  係止片
４６，５６  板体
４６ａ  ボルト
４６ｂ  ナット
５１  中央梁枠体
５７  Ｓ字フック
６１  本体
６１ａ  底部（天板対向部）
６１ｂ  側部（天板対向部）
６１ｃ  縁部（天板対向部）
６１ｄ  垂下部
６２  蓋体
６２ａ  天板部
６２ｂ  延出部
６２ｇ  掛止孔
７１  ゴム紐
Ｒ１  リベット
Ｒ１１  リベット脚部（突出部）
Ｒ１１１  リベット先端部（突出部）
Ｒ２１１  突起部（突出部）
Ｒ１２  リベットフランジ部
Ｒ１３  マンドレル
Ｒ２  本体側リベット貫通孔
Ｒ３  蓋体側リベット貫通孔
Ｋ１  ホルダー係止空間（係止空間）
１０６  第二足場板
１６２ａ  第二天板部
１６２ｂ  第二延出部
２０６  第三足場板
２６２ａ  第三天板部
２６２ｂ  第三延出部
【図１】
0006647827.tif 000002
【図２】
0006647827.tif 000003
【図３】
0006647827.tif 000004
【図４】
0006647827.tif 000005
【図５】
0006647827.tif 000006
【図６】
0006647827.tif 000007
【図７】
0006647827.tif 000008
【図８】
0006647827.tif 000009
【図９】
0006647827.tif 000010